(57)【要約】      （修正有）【課題】食材の賞味期限管理が容易なキッチン周り用品用容器を提供する。【解決手段】カレンダー付キッチン周り用品用容器１は、略細長直方体形状からなり、ロール状に巻かれたフィルム状の食品包装体等が収納されている。カレンダー付キッチン周り用品用容器１の側面には、カレンダー２が設けられている。カレンダー付キッチン周り用品用容器１には、一年分のカレンダーとして、正面及び平面に各々半年分のカレンダー２を配置している。カレンダー２は、表示された日付部分ごとにメモ記入欄３が設けられている。メモ記入欄３には、キッチン周り用品で包装・調理した食品の情報を記入することができる。【選択図】図１
0003198968.tif 000002
【実用新案登録請求の範囲】
【請求項１】
キッチン周り用品用容器に日付カレンダーを設けたことを特徴とするカレンダー付キッチン周り用品用容器。
【請求項２】
キッチン周り用品が収納されるキッチン周り用品用容器において、少なくとも一の面に一年分の日付カレンダーを配置するとともに、表示された日付部分ごとにキッチン周り用品で包装又は調理した食品の情報を記入するためのメモ記入欄を設けたことを特徴とする請求項１に記載のカレンダー付キッチン周り用品用容器。
【請求項３】
表示された各月ごとに旬の食材、食材の特売日等の情報を記入するための備考記入欄を設けたことを特徴とする請求項１又は２に記載のカレンダー付キッチン周り用品用容器。
【請求項４】
キッチン周り用品が収納されるキッチン周り用品用容器において、少なくとも一の面に半年分の日付カレンダーを配置するとともに、表示された日付部分ごとにキッチン周り用品で包装又は調理した食品の情報を記入するためのメモ記入欄を設けたことを特徴とする請求項１に記載のカレンダー付キッチン周り用品用容器。
【請求項５】
表示された各月ごとに旬の食材、食材の特売日等の情報を記入するための備考記入欄を設けたことを特徴とする請求項１又は４に記載のカレンダー付キッチン周り用品用容器。
【考案の詳細な説明】
【技術分野】
【０００１】
本考案は、食材の賞味期限管理が容易なキッチン周り用品用容器に関するものである。
【背景技術】
【０００２】
食料品について、賞味期限の管理は、食料品を包装したフィルム等の上に油性ペン等の筆記具で日付を記載したり、日付を記載した附箋を貼り付けたり、日付を記載したシールを貼り付けたりして（特許文献１）、冷蔵庫等の保管場所に収納している。
【０００３】
しかし、フィルム等で包装した食料品に日付を記載等する場合、複数の食料品があると、各食料品ごとに日付を記載等しなければならず、手間がかかるとともに、賞味期限の管理が複雑になる問題があった。
また、フィルム等で包装した食料品を冷蔵庫等の保管場所に収納した場合、食料品の賞味期限管理は、冷蔵庫等の保管場所を開けて中を確認しなければならず、面倒なものであった。食料品の賞味期限管理を人の記憶力に頼ると、食料品を収納したことを忘れ、賞味期限が経過し、食料品を廃棄せざるを得ない問題があった。
【先行技術文献】
【特許文献】
【０００４】
【特許文献１】実用新案登録第３１１２５０５号公報
【考案の概要】
【考案が解決しようとする課題】
【０００５】
解決しようとする問題点は、複数の食料品をフィルム等で包装した場合に各食料品の賞味期限管理が容易ではない点、フィルム等で包装した食料品を冷蔵庫等の密閉した保管場所に収納した場合に食料品の賞味期限の確認が容易ではない点である。
【課題を解決するための手段】
【０００６】
第１考案のカレンダー付キッチン周り用品用容器は、
キッチン周り用品用容器に日付カレンダーを設けたことを特徴とする。
【０００７】
第２考案のカレンダー付キッチン周り用品用容器は、
請求項１記載の考案において、キッチン周り用品が収納されるキッチン周り用品用容器の少なくとも一の面に一年分の日付カレンダーを配置するとともに、表示された日付部分ごとにキッチン周り用品で包装又は調理した食品の情報を記入するためのメモ記入欄を設けたことを特徴とする。
【０００８】
第３考案のカレンダー付キッチン周り用品用容器は、
請求項１又は２に記載の考案において、表示された各月ごとに旬の食材、食材の特売日等の情報を記入するための備考記入欄を設けたことを特徴とする。
【０００９】
第４考案のカレンダー付キッチン周り用品用容器は、
請求項１記載の考案において、キッチン周り用品が収納されるキッチン周り用品用容器の少なくとも一の面に半年分の日付カレンダーを配置するとともに、表示された日付部分ごとにキッチン周り用品で包装又は調理した食品の情報を記入するためのメモ記入欄を設けたことを特徴とする。
【００１０】
第５考案のカレンダー付キッチン周り用品用容器は、
請求項１又は４に記載の考案において、表示された各月ごとに旬の食材、食材の特売日等の情報を記入するための備考記入欄を設けたことを特徴とする。
【考案の効果】
【００１１】
第１考案、第２考案及び第４考案によれば、
食料品をキッチン周り用品で包装又は調理した日付のメモ記入欄に該食料品の情報を記入することにより、複数の食料品の賞味期限等を一元管理することができ、各食料品毎に日付等を記載する手間を省くことができる。また、フィルム等で包装した食料品を冷蔵庫等の保管場所に収納した場合、食料品の賞味期限管理は、冷蔵庫等の保管場所を開けて各食料品毎に確認する必要はなく、メモ記入欄で全て期限管理することができ、賞味期限が経過して食料品を廃棄する無駄を避けることができる利点がある。
【００１２】
第１考案、第３考案及び第５考案によれば、
備考記入欄に旬の食材、食材の特売日等の情報を記入することにより、食料品をキッチン周り用品で包装する際に、その情報を次の食材を購入するときの参考にすることができる利点がある。
【図面の簡単な説明】
【００１３】
【図１】（１ａ）は、本考案のカレンダー付キッチン周り用品用容器の一実施形態を示す概略斜視図である。（１ｂ）は、本考案のカレンダー付キッチン周り用品用容器のカレンダー部分の拡大図である。
【図２】（２ａ）は、図１（１ａ）の蓋部を開けた状態を示す参考図である。（２ｂ）は本考案のカレンダー付キッチン周り用品用容器の使用状態を示す参考図である。
【図３】（３ａ）は、本考案のカレンダー付キッチン周り用品用容器の他の実施形態を示す部分切り欠き図である。（３ｂ）は（３ａ）の使用状態を示す参考図である。
【図４】（４ａ）は、キッチン袋が開封した状態を示す図面である。（４ｂ）は、キッチン袋を密閉した状態を示す図面である。
【図５】（５ａ）は、本考案のカレンダー付キッチン周り用品用容器の他の実施形態を示す部分切り欠き図である。（５ｂ）は（５ａ）の使用状態を示す参考図である。
【考案を実施するための形態】
【００１４】
以下、本考案カレンダー付キッチン周り用品用容器について図を用いて説明する。
図１（１ａ）は、本考案の一実施態様を示すカレンダー付キッチン周り用品用容器１であって、カレンダー付キッチン周り用品用容器１を斜め上方からみた概略斜視図である。同図（１ｂ）は、（１ａ）におけるカレンダーの部分拡大図である。
【００１５】
カレンダー付キッチン周り用品用容器１は、略細長直方体形状からなり、ロール状に巻かれたフィルム状の食品包装体等が収納されている。カレンダー付キッチン周り用品用容器１の側面には、カレンダー２が設けられている。
【００１６】
カレンダー付キッチン周り用品用容器には、一年分のカレンダーとして、正面及び平面に各々半年分のカレンダーを配置している（図１（１ａ））。また、半年分のカレンダーとして、正面及び平面に各々３月分のカレンダーを配置することもできる。さらに、キッチン周り用品用容器の一の面のみに一年分又は半年分のカレンダーを配置することもできる。このように、キッチン周り用品用容器の側面の少なくとも一の面にカレンダーを配置することができる。カレンダーの期間は、用途に応じて自在に設定することが可能である。キッチン周り用品用容器の正面及び平面における、カレンダーを配置していない余白部分には、キッチン周り用品の商品名等を記載することが可能である。また、キッチン周り用品用容器の背面及び底面には、品名、原材料、使用方法等の必要的事項を記載することが可能である。
【００１７】
図１（１ｂ）に示すカレンダーのレイアウトは、日付を記載する縦の列が７列あり、横の行が５行である。１日が金曜日又は土曜日から始まる場合等に６行目が必要になるときは、新たに１行加えて６行としてもよい。また、５行目の欄を分割して２週分記載してもよい。
カレンダーの週の始まりは、通常日曜日始まりであるが、月曜日等の他の曜日始まりでもよい。
また、図示はしないが、日付を一行で配置するカレンダーにしてもよい。一年分のカレンダーとして、正面及び平面に各々半年分のカレンダー６行を配置する。また、半年分のカレンダーとして、正面及び平面に各々３月分のカレンダー３行を配置することもできる。
上記したカレンダーのレイアウトは一部を表すに過ぎず、これに限られるものではない。
【００１８】
カレンダー２は、表示された日付部分ごとにメモ記入欄３が設けられている。メモ記入欄３には、キッチン周り用品で包装・調理した食品の情報を記入することができる。例えば、食材（肉、魚、野菜など）の購入日・賞味期限、調理した料理（カレー、ご飯など）の調理日・賞味期限などが挙げられる。
【００１９】
メモ記入欄３への記入方法としては、例えば、図１（１ｂ）に示す通り、４日（日曜日）に肉、魚、野菜を購入した場合、その賞味期限がそれぞれ３，４，５日までだとすると、４日のメモ記入欄に食材を記入し、３，４，５日まで矢印を引けばそれらの賞味期限を一目で確認することができる。
また、メモ記入欄３が小さくて食材の名称を記入できないときは、記号を用いるとよい。肉、魚、野菜に相当する記号をそれぞれ、○、△、×とする。例えば、図１（１ｂ）に示す通り、１８日（日曜日）に肉、魚、野菜を購入した場合、その賞味期限がそれぞれ２０，２１，２２日までだとすると、４日のメモ記入欄に記号（○、△、×）を記入し、２０，２１，２２日まで矢印を引けばそれらの賞味期限を一目で確認することができる。
【００２０】
キッチン周り用品用容器へのカレンダーの配置方法としては、キッチン周り用品用容器に直接カレンダーを印刷する方法、紙などに印刷したカレンダーをキッチン周り用品用容器に貼付する方法、シールに印刷したカレンダーをキッチン周り用品用容器に貼付する方法等が挙げられるが、キッチン周り用品用容器にカレンダーを設けることができれば、これらの方法に限定されるものではない。
【００２１】
カレンダー２は、表示された各月ごとに備考記入欄４が設けられている。備考記入欄４には、その月の旬の食材や食材の特売日等の情報を記入することができる。例えば、１月の旬の食材として、長芋、鱈、甘エビ、牡蠣等が挙げられる。備考記入欄４は、カレンダー２の日付部分及びメモ記入欄３以外の部分に設けられる。例えば、各月の間の余白部分や、カレンダーの１行目及び５行目の日付がない空欄部分が挙げられる。
【００２２】
キッチン周り用品は、食品を包む際に用いられる食品包装体、食品の調理に用いられるクッキングシート、キッチンタオル等が挙げられる。食品包装体の形状としては、フィルム状、袋状等が挙げられるが、食品を包むことができれば特に形状は限定されない。フィルム状の食品包装体である食品包装フィルム６は、耐熱性・耐水性に富む柔軟な膜状素材からなる。素材としては、紙、プラスチックフィルム、アルミ箔、布等が挙げられる。袋状の食品包装体としてはキッチン袋等が挙げられ、一端が開放している形態のものや、一端がファスナー等で開閉自在の形態のものが挙げられる。図４（４ａ）はキッチン袋９が開封した状態を表している。同図（４ｂ）は、キッチン袋９のファスナー１０を止めて密封した状態を表している。キッチン袋は、耐熱性・耐水性に富む素材からなる。素材としては、ポリエチレン、ポリプロピレン等が挙げられる。クッキングシート、キッチンタオルの形状としては、シート状のものが挙げられるが、調理等に用いることができれば特に形状は限定されない。シート状のクッキングシート、キッチンタオルは、耐熱性・吸水性・吸油性に富む柔軟なシート状素材からなる。素材としては、紙、プラスチックフィルム、アルミ箔、布等が挙げられる。
【００２３】
カレンダー付キッチン周り用品用容器には、キッチン周り用品が収納されている。図２は、ロール状の巻かれた食品包装フィルム６を略細長直方体形状のキッチン周り用品用容器５に収納した例をあらわしている。図２（２ａ）に示す通り、キッチン周り用品用容器５の蓋部８の端部には刃７が設けられている。食品包装フィルム６を必要量引き出して蓋部８を閉じた後、刃７の向きと反対方向に食品包装フィルム６を引っ張ると、ロール状の巻かれた食品包装フィルム６から切り離すことができる。なお、カレンダー２は、キッチン周り用品用容器５の平面部に配置している。
【００２４】
図３は、複数のキッチン袋９を略細長直方体形状のキッチン周り用品用容器５に収納した例をあらわしている。図３（３ａ）は、複数のキッチン袋９を重ねて丸めたものをキッチン周り用品用容器５に収納した様子をあらわす部分切り欠き図である。同図（３ｂ）に示す通り、蓋部８を開けて、キッチン袋９を指でつまんで引き出して、キッチン周り用品用容器５から取り出す。なお、カレンダー２はキッチン周り用品用容器５の平面部及び正面部に配置している。
【００２５】
図５は、複数枚のキッチンタオル１１を略細長直方体形状のキッチン周り用品用容器５に収納した例をあらわしている。図５（５ａ）は、ポップアップ式に取り出すように交互に積層されたキッチンタオル１１をキッチン周り用品用容器５に収納した様子をあらわす部分切り欠き図である。同図（５ｂ）に示す通り、穴部１２を開けて、キッチンタオル１１を一枚指でつまんで引き出すと、次のキッチンタオル１１の一部が穴部１２から飛び出すようになっている。なお、カレンダー２はキッチン周り用品用容器５の正面部に配置している。
【符号の説明】
【００２６】
１    カレンダー付キッチン周り用品用容器
２    カレンダー
３    メモ記入欄
４    備考記入欄
５    キッチン周り用品用容器
６    食品包装フィルム
７    刃
８    蓋部
９    キッチン袋
１０  ファスナー
１１  キッチンタオル
１２  穴部
【図１】
0003198968.tif 000003
【図２】
0003198968.tif 000004
【図３】
0003198968.tif 000005
【図４】
0003198968.tif 000006
【図５】
0003198968.tif 000007